(57)【要約】      （修正有）【課題】ろうそくの火のカバー用途のみならず、より豊かな視覚効果、嗅覚効果を与えるアロマ芳香火屋を提供する。【解決手段】耐火素材で形成された載置台１０と、瓦素材で形成され下面に開口部を有する略釣鐘形状の火屋２０と、多孔質の瓦素材で形成されアロマ芳香液を前記多孔質に含浸させたアロマ芳香小片であって前記火屋２０の上面に載せ置かれるアロマ芳香小片３０を備えている。火屋２０の上面には上面孔が設けられている。アロマ芳香小片３０の径よりも小さい径を持ち、アロマ芳香小片３０を載せ置くことによりアロマ芳香小片３０の底面と火屋２０内部とをつなげる。火屋２０の内部の載置台１０の上に熱源となるろうそく４０を置き、ろうそく４０の熱により上面孔を介してアロマ芳香小片３０をあぶり、含浸されているアロマ芳香液を蒸散させる。【選択図】図４
0003164580.tif 000002
【実用新案登録請求の範囲】
【請求項１】
耐火素材で形成された載置台と、
瓦素材で形成され、下面に開口部を有する略釣鐘形状の火屋と、
多孔質の瓦素材で形成され、アロマ芳香液を前記多孔質に含浸させたアロマ芳香小片であって、前記火屋の上面に載せ置かれるアロマ芳香小片と、
前記火屋の上面に設けられ、前記アロマ芳香小片を載せ置くことにより、前記火屋内部の熱を前記アロマ芳香小片に伝導する上面部と、
前記火屋の内部の前記載置台の上に熱源となるろうそくを置き、前記ろうそくの熱により前記上面部を介して前記アロマ芳香小片を熱し、含浸されているアロマ芳香液を蒸散させる、アロマ芳香と灯りとをもたらすアロマ芳香火屋。
【請求項２】
前記火屋の側面に模様を形作る模様孔を設け、前記火屋内部で灯されるろうそくの灯りが前記模様孔を介して前記火屋外に漏れるようにした請求項１に記載のアロマ芳香火屋。
【請求項３】
瓦素材で形成され、底面に平面部分を有し、側面の一部に開口部を有する略釣鐘形状の火屋と、
多孔質の瓦素材で形成され、アロマ芳香液を前記多孔質に含浸させたアロマ芳香小片であって、前記火屋の上面に載せ置かれるアロマ芳香小片と、
前記火屋の上面に設けられ、前記アロマ芳香小片の径よりも小さい径を持つ上面孔であって、前記孔の上に前記アロマ芳香小片を載せ置くことにより、前記孔を形成する周縁により前記アロマ芳香小片を支えつつ前記アロマ芳香小片の底面と前記火屋内部とをつなげる上面孔と、
前記火屋の内部の前記底面に熱源となるろうそくを置き、前記ろうそくの熱により前記上面孔を介して前記アロマ芳香小片を熱し、含浸されているアロマ芳香液を蒸散させる、アロマ芳香と灯りとをもたらすアロマ芳香火屋。
【請求項４】
前記火屋の開口部が設けられた側面の対向面側の側面に模様を形作る模様孔を設け、前記火屋内部で灯されるろうそくの灯りが前記模様孔を介して前記火屋外に漏れるようにした請求項３に記載のアロマ芳香火屋。
【考案の詳細な説明】
【技術分野】
【０００１】
本考案は、ろうそくの灯りをもたらす火屋の技術分野に関する。
【背景技術】
【０００２】
火屋の目的は、内部のろうそくの火を風雨から守り、また、火がむき出しで燃えていると周囲の可燃性のものに火が燃え移らないようにする保護カバーとしての目的で用いられるものである。そして、ろうそくの火の灯りが周囲から見えるように耐火性を有する透明素材で形成するのが基本であった。
そのため、従来技術における火屋は、透明のガラス製や耐火プラスチックなどの素材で形成され、内部にろうそくを収める空間と下面に開口部を有する略釣鐘形状をしたものであった。
【０００３】
【特許文献１】特開２００２−４２５２２号公報
【考案の開示】
【考案が解決しようとする課題】
【０００４】
今、世の中で癒しが求められている。そこで、たくさんの癒しグッズが開発・販売されている。
視覚による癒しとして、行灯や提灯などの暖かい暖色系の色による灯りを照らすものが注目されている。
聴覚による癒しとして、風鈴などの優しい音色を出すものや水のせせらぎ音などが注目されている。
嗅覚による癒しとして、安らぎを覚える匂いを出すアロマを蒸散させるアロマポットなどが注目されている。
味覚による癒しとして、ミントなどの爽快感を与える嗜好品が注目されている。
触覚による癒しとして、アーユルベーダなどのアロマオイルによるマッサージなどが注目されている。
【０００５】
火屋は主に、視覚による癒しを提供することはできるが、中のろうそくの火がそのまま見えることが基本であり、癒しグッズとして、さらなる視覚効果、嗅覚効果を与えることができなかった。
【０００６】
本考案は、上記従来の問題点に鑑み案出されたものであって、より豊かな視覚効果、嗅覚効果を与える癒し効果を与える火屋を提供することを目的とする。
【課題を解決するための手段】
【０００７】
上記目的を達成するため、本考案の第１のアロマ芳香火屋は、
耐火素材で形成された載置台と、
瓦素材で形成され、下面に開口部を有する略釣鐘形状の火屋と、
多孔質の瓦素材で形成され、アロマ芳香液を前記多孔質に含浸させたアロマ芳香小片であって、前記火屋の上面に載せ置かれるアロマ芳香小片と、
前記火屋の上面に設けられ、前記アロマ芳香小片を載せ置くことにより、前記火屋内部の熱を前記アロマ芳香小片に伝導する上面部と、
前記火屋の内部の前記載置台の上に熱源となるろうそくを置き、前記ろうそくの熱により前記上面部を介して前記アロマ芳香小片を熱し、含浸されているアロマ芳香液を蒸散させる、アロマ芳香と灯りとをもたらすものである。
なお、前記火屋の側面に模様を形作る模様孔を設け、前記火屋内部で灯されるろうそくの灯りが前記模様孔を介して前記火屋外に漏れるようにし、より豊かな視覚効果を与えることができる。
【０００８】
上記目的を達成するため、本考案の第２のアロマ芳香火屋は、瓦素材で形成され、底面に平面部分を有し、側面の一部に開口部を有する略釣鐘形状の火屋と、多孔質の瓦素材で形成され、アロマ芳香液を前記多孔質に含浸させたアロマ芳香小片であって、前記火屋の上面に載せ置かれるアロマ芳香小片と、前記火屋の上面に設けられ、前記アロマ芳香小片の径よりも小さい径を持つ上面孔であって、前記孔の上に前記アロマ芳香小片を載せ置くことにより、前記孔を形成する周縁により前記アロマ芳香小片を支えつつ前記アロマ芳香小片の底面と前記火屋内部とをつなげる上面孔と、前記火屋の内部の前記底面に熱源となるろうそくを置き、前記ろうそくの熱により前記上面孔を介して前記アロマ芳香小片を熱し、含浸されているアロマ芳香液を蒸散させる、アロマ芳香と灯りとをもたらすものである。
なお、前記火屋の開口部が設けられた側面の対向面側の側面に模様を形作る模様孔を設け、前記火屋内部で灯されるろうそくの灯りが前記模様孔を介して前記火屋外に漏れるようにし、より豊かな視覚効果を与えることができる。
【考案の効果】
【０００９】
本考案のアロマ芳香火屋によれば、アロマによる嗅覚効果、模様孔を介した灯りによる豊かな視覚効果を得ることができ、優れた癒しを提供することができる。
【考案を実施するための最良の形態】
【００１０】
以下、図面を参照しつつ、本考案のアロマ芳香火屋の実施形態を説明する。ただし、本考案の技術的範囲は以下の実施形態に示した具体的な用途や形状・寸法などには限定されない。
【実施例１】
【００１１】
実施例１として本考案の第１のアロマ芳香火屋の構成例を示す。
図１は、本考案の第１のアロマ芳香火屋の構成例を示す平面図および正面図である。
図２は火屋２０のみを取り出して見た平面図と、底面図と、図１の平面図にＡ−Ａ線として示した面における縦断面図である。
図３はアロマ芳香小片３０の平面図および正面図と、載置台１０の平面図および正面図である。
図１に示すように、本考案のアロマ芳香火屋１００は、載置台１０、火屋２０、アロマ芳香小片３０を備えている。
【００１２】
載置台１０は、耐火素材で形成されたものであり、例えば、瓦素材などでも良い。後述するろうそく４０が載せ置かれるのでろうそくの火に対する耐火性が必要である。
【００１３】
火屋２０は、瓦素材で形成され、下面に開口部２１を有する略釣鐘形状のものである。周囲の側壁２２には模様を形作る模様孔２３が設けられており、火屋内部で灯されるろうそく４０の灯りが模様孔２３を介して火屋外に漏れるようになっており、より豊かな視覚効果を与えることができるものとなっている。
なお、模様孔２３の形状は多種多様なものが可能である。この例では一例として花柄模様となっている。
また、図２に見るように、火屋２０の上面には上面部２４が設けられている。この上面部２４の上に後述するようにアロマ芳香小片３０が載せ置かれ、後述するように火屋２０内部のろうそくなどの熱源により上面部２４が熱せられ、上面部２４を介してアロマ芳香小片３０が暖められる。
なお、火屋２０の瓦素材としては「淡路いぶし瓦」を用いることが好ましい。「淡路いぶし瓦」は美しい光沢を持っているので視覚的な癒し効果が注目されているが、電磁波の吸収能力や反射能力があることが確認されており、人体に有害と言われる電磁波を低減させる効果もある。本考案のアロマ芳香火屋の瓦素材として「淡路いぶし瓦」を使用することにより視覚的な癒し効果と電磁波低減効果が得られる。
【００１４】
アロマ芳香小片３０は図３に見るように板状の小片であり、コイン状の円柱体となっている。底面図は正面図と同様、背面図および側面図は正面図と同様であるため図示は省略している。
アロマ芳香小片３０は、多孔質の瓦素材で形成され、アロマ芳香液を多孔質に含浸させたものである。火屋２０の上面に載せ置かれる。瓦素材は多孔質でありこの微小な孔にアロマ芳香液が含浸される。後述するようにこのアロマ芳香小片３０が暖められることにより含浸されていたアロマ芳香液が少しずつ蒸散してゆくこととなる。
なお、アロマ芳香は香りに応じて効果があるとされ（たとえば、ラベンダーの香りであれば鎮静効果、ミントであれば疲労回復など）、混じり合わないように、アロマ芳香小片３０を複数個提供し、含浸させるアロマ芳香液を決めて固定しておくことも好ましい。
なお、アロマ芳香小片３０の瓦素材としても「淡路いぶし瓦」を用いることが好ましい。「淡路いぶし瓦」はきめ細かい肌合いを持つ一方、多孔質性にも優れており、アロマ芳香液を含浸させることによりたっぷりとアロマ芳香液を貯蔵することでき、嗅覚的な癒し効果を発揮することができる。
【００１５】
本考案のアロマ芳香火屋１００は、内部にろうそく４０の火を燃やすことにより視覚効果と嗅覚効果を与えるものである。
【００１６】
図４は、本考案のアロマ芳香火屋１００の使用状態を、図１の平面図にＡ−Ａ線として示した面における縦断面図で示した図である。
火屋２０の内部において載置台１０の上に熱源となるろうそく４０を置く。この例ではさらなる安全性を考慮して、耐火性に優れたろうそくカップ４１の中にろうそく４０を入れて載置台１０の上に設置している。
【００１７】
火屋２０の内部においてろうそく４０を燃やすことにより、ろうそく４０の熱が上昇し、上面孔２４を介してアロマ芳香小片３０を熱する。アロマ芳香小片３０にはアロマ芳香液が含浸されており、この含浸されているアロマ芳香液が蒸散することによりアロマ芳香という嗅覚効果が得られる。
【００１８】
また、本考案のアロマ芳香火屋１００は例えば瓦素材でできているためにろうそくの灯りは模様孔２３からのみ漏れ出るため、灯りにより模様孔２３の輪郭が綺麗に彩られるように見えることとなる。特に夜間においては模様孔２３の輪郭が綺麗に彩られる。なお、本考案のアロマ芳香火屋１００の模様孔２３は多様なバリエーションが可能である。
つまり、本考案のアロマ芳香火屋１００において、アロマ芳香という嗅覚効果と、灯りという視覚効果とが得られる。
【実施例２】
【００１９】
実施例２として本考案の第２のアロマ芳香火屋の構成例を示す。
図５および図６は、本考案の第２のアロマ芳香火屋１００ａの構成例を示す図である。図５は平面図および正面図、図６は背面図となっている。図７は火屋２０ａのみを取り出して見た平面図と、底面図と、図５の平面図にＢ−Ｂ線として示した面における縦断面図である。
図５および図６に示すように、本考案のアロマ芳香火屋１００ａは、火屋２０ａ、アロマ芳香小片３０を備えている。特に載置台は示されていないが載置台を用いる構成も可能である。
【００２０】
火屋２０ａは、瓦素材で形成され、底面に平面部分１０ａを備え、正面には模様孔２３を備え、背面には開口部２１ａを備えた略釣鐘形状の火屋となっている。実施例１の例では開口部２１は底面部に設けられていたが、実施例２の構成例は底面は平面部分１０ａが設けられており、開口部２１ａは背面に大きく設けられている。
模様孔２３は実施例１と同様、火屋２０ａ内部で灯されるろうそく４０の灯りが模様孔２３を介して火屋２０ａ外に漏れるようにし、より豊かな視覚効果を与えることができるものとなっている。
図７に見るように、火屋２０の上面には上面孔２４が設けられている。
【００２１】
アロマ芳香小片３０は、実施例１のアロマ芳香小片３０と同様で良く、多孔質の瓦素材で形成され、アロマ芳香液を多孔質に含浸させたものである。火屋２０の上面に載せ置かれる。
アロマ芳香小片３０と火屋２０の上面孔２４との関係については実施例１のアロマ芳香火屋１００と同様であり、上面孔２４の径はアロマ芳香小片３０の径よりも小さい径となっている。つまり、上面孔２４の上にアロマ芳香小片３０を載せ置いても通過して落ちないようになっており、上面孔２４の上にアロマ芳香小片３０を載せ置くことにより、上面孔２４を形成する周縁によりアロマ芳香小片３０を支えるようになっている。
【００２２】
上面孔２４の上にアロマ芳香小片３０を載せることにより、アロマ芳香小片３０の底面と火屋２０ａの内部空間とがつながることとなる。
【００２３】
本考案のアロマ芳香火屋１００ａは、内部にろうそく４０の火を燃やすことにより視覚効果と嗅覚効果を与えるものである。
図８は、本考案のアロマ芳香火屋１００ａの使用状態を、背面から示した図である。
【００２４】
火屋２０ａの内部において載置台１０の上に熱源となるろうそく４０を置く。この例ではさらなる安全性を考慮して、耐火性に優れたろうそくカップ４１の中にろうそく４０を入れて載置台１０の上に設置している。
火屋２０ａの内部においてろうそく４０を燃やすことにより、ろうそく４０の熱が上昇し、上面孔２４を介してアロマ芳香小片３０を熱する。アロマ芳香小片３０にはアロマ芳香液が含浸されており、この含浸されているアロマ芳香液が蒸散することによりアロマ芳香という嗅覚効果が得られる。
【００２５】
また、本考案のアロマ芳香火屋１００ａは例えば瓦素材でできているためにろうそくの灯りは模様孔２３からのみ漏れ出るため、灯りにより模様孔２３の輪郭が綺麗に彩られるように見えることとなる。特に夜間においては模様孔２３の輪郭が綺麗に彩られる。なお、本考案のアロマ芳香火屋１００の模様孔２３は多様なバリエーションが可能である。
つまり、本考案のアロマ芳香火屋１００ａにおいて、アロマ芳香という嗅覚効果と、灯りという視覚効果とが得られる。
【００２６】
以上、本考案のアロマ芳香火屋における好ましい実施例を図示して説明してきたが、本考案の技術的範囲を逸脱することなく種々の変更が可能であることは理解されるであろう。
【産業上の利用可能性】
【００２７】
本考案はろうそくの火に対するカバーである火屋に対して広く適用することができる。
【図面の簡単な説明】
【００２８】
【図１】本考案の第１のアロマ芳香火屋の構成例を示す平面図および正面図
【図２】火屋のみを取り出して見た平面図と、底面図と、図１の平面図にＡ−Ａ線として示した面における縦断面図
【図３】アロマ芳香小片３０の平面図および正面図と、載置台１０の平面図および正面図
【図４】本考案のアロマ芳香火屋１００の使用状態を、図１の平面図にＡ−Ａ線として示した面における縦断面図で示した図
【図５】本考案の第２のアロマ芳香火屋の構成例を示す平面図および正面図
【図６】本考案の第２のアロマ芳香火屋の構成例を示す背面図
【図７】火屋２０ａのみを取り出して見た平面図と、底面図と、図５の平面図にＢ−Ｂ線として示した面における縦断面図
【図８】本考案のアロマ芳香火屋１００ａの使用状態を、背面から示した図
【符号の説明】
【００２９】
１００，１００ａ  アロマ芳香火屋
１０  載置台
２０，２０ａ  火屋
２１，２１ａ  開口部
２２  壁面
２３  模様孔
２４  上面孔
３０  アロマ芳香小片
４０  ろうそく
４１  ろうそくカップ
【図１】
0003164580.tif 000003
【図２】
0003164580.tif 000004
【図３】
0003164580.tif 000005
【図４】
0003164580.tif 000006
【図５】
0003164580.tif 000007
【図６】
0003164580.tif 000008
【図７】
0003164580.tif 000009
【図８】
0003164580.tif 000010